(57)【要約】【課題】  除塵装置を稼動するためのスペースの狭小化をはかることにより本体の小型化に寄与できるようにした空気調和機を提供する。【解決手段】  前面パネル1aおよび天面パネル1bからなるパネル１を備えた本体に、吸込口２と吹出口３とを結ぶ空気通路と、エアフィルタ４と、熱交換器５と、送風ファン６とを設け、前記エアフィルタ４の前面に、同エアフィルタ４表面に沿って往復運動する除塵装置７を設けてなる空気調和機において、前記天面パネル1bが、前記除塵装置７の往復運動に伴って開閉することを特徴とした。【選択図】  図４
2007078234.tif 000002
【特許請求の範囲】
【請求項１】
パネルを備えた本体に、エアフィルタと送風ファンとを設け、前記エアフィルタの前面に、同エアフィルタの表面に沿って往復運動する徐塵装置を設けてなる空気調和機において、
前記パネルが、前記徐塵装置の往復運動に伴って開閉することを特徴とする空気調和機。
【請求項２】
前記パネルが、前記徐塵装置によって押し開かれるようにしてなることを特徴とする請求項１に記載の空気調和機。
【請求項３】
前記パネルは枢支部を備え、同枢支部により回動することを特徴とする請求項１に記載の空気調和機。
【請求項４】
前記パネルはリンク機構を備え、同リンク機構により平行移動することを特徴とする請求項１に記載の空気調和機。
【発明の詳細な説明】
【技術分野】
【０００１】
本発明は、エアフィルタ表面に沿って往復運動する除塵装置を備えた空気調和機に係わり、より詳細には、除塵装置を稼動するためのスペースの狭小化をはかることにより本体の小型化に寄与できるようにした構成に関する。
【背景技術】
【０００２】
従来の空気清浄機や空気調和機には、集塵用フィルタの掃除は、高所に取り付けられている場合はフィルタを取り外す際に顔や身体に埃などが落ちてきたり、手が汚れたりして不衛生であったため、フィルタの前面に稼動するブラシを設置することによって、フィルタを取り外すことなくフィルタの掃除ができ、常に清浄な状態に保っておくことを可能にしたフィルタ除塵装置を備えてなるものがあった（例えば、特許文献１参照。）。
【０００３】
しかしながら、前記フィルタ除塵装置は、空気清浄機や空気調和機の吸込口と、前記フィルタとの間にスペースを空けた状態にして稼動するように構成されていることから、空気清浄機や空気調和機の上下方向または前後方向の寸法が大きくなって小型化が困難になってしまうという問題点を有していた。
【０００４】
【特許文献１】特開２００１−１７０４３０号公報
【発明の開示】
【発明が解決しようとする課題】
【０００５】
そこで、本発明は上述した課題を解決するためになされたものであって、その目的は、除塵装置を稼動するためのスペースの狭小化をはかることにより本体の小型化に寄与できるようにした空気調和機を提供することにある。
【課題を解決するための手段】
【０００６】
上述した目的を達成するため、本発明は以下に示す特徴を備えている。
パネルを備えた本体に、エアフィルタと送風ファンとを設け、前記エアフィルタの前面に、同エアフィルタの表面に沿って往復運動する徐塵装置を設けてなる空気調和機において、
前記パネルが、前記徐塵装置の往復運動に伴って開閉することを特徴としている。
【０００７】
また、前記パネルが、前記徐塵装置によって押し開かれるようにしてなることを特徴としている。
【０００８】
また、前記パネルは枢支部を備え、同枢支部により回動することを特徴としている。
【０００９】
更に、前記パネルはリンク機構を備え、同リンク機構により平行移動することを特徴としている。
【発明の効果】
【００１０】
本発明によれば、パネルが往復運動する除塵装置に伴って開閉する構成にしたので、除塵装置を稼動するためのスペースの狭小化をはかることによって本体の小型化に寄与できるようにした空気調和機を提供できる。
【発明を実施するための最良の形態】
【００１１】
次に、本発明の実施形態について図面を参照しながら説明する。
図１は本発明による空気調和機の実施例１を示す斜視図であり、図２は本発明による空気調和機の実施例１を示す説明図で、（Ａ）は第一の断面図、（Ｂ）は要部拡大図であり、図３は本発明による空気調和機の実施例１を示す第二の断面図であり、図４は本発明による空気調和機の実施例１を示す第三の断面図であり、図５は本発明による空気調和機の実施例２を示す説明図で、（Ａ）は第一の断面図、（Ｂ）は要部拡大図であり、図６は本発明による空気調和機の実施例２を示す第二の断面図であり、図７は本発明による空気調和機の実施例２を示す第三の断面図であり、図８は本発明による空気調和機の実施例２を示す要部説明図で、（Ａ）は分解斜視図、（Ｂ）は天面パネルの連係ピン取付部裏面側を示す要部斜視図である。
【００１２】
本発明による空気調和機は、図に示すように、前面パネル1aおよび天面パネル1bからなるパネル１を備えた本体に、吸込口２と吹出口３とを結ぶ空気通路と、前記吸込口２から吸い込まれた空気中の塵埃を除去するエアフィルタ４と、塵埃が除去された清浄空気を熱交換する熱交換器５と、熱交換された空気を前記吹出口３に送出する送風ファン６とが設けられた構成になっている。
【００１３】
前記エアフィルタ４の前面には、同エアフィルタ４の表面に沿って往復運動することにより、同エアフィルタ４に付着した塵埃を除去する除塵装置７が設けられており、同除塵装置７は駆動モータ7aが連係されることによって駆動されるように構成されている。
【００１４】
前記天面パネル1bは、前記吸込口２の両側に設けられたガイド８により円滑に稼働した前記除塵装置７が接触することにより、同除塵装置７が稼働するのに伴って外側に押し開かれたり、押し開かれた位置から自重によってもとに位置に復帰したりするようになり、その際、前記天面パネル1bを外側に押し開かせたり、また、もとに位置に復帰したりするための駆動装置を個別に設けなくてもよい。
【００１５】
これによって、前記除塵装置７が稼動するためのスペースは、前記天面パネル1bに接触させることなく往復運動する場合に比べて狭小化をはかることができるようになり、空気調和機としての小型化に寄与できるようになる。
【００１６】
なお、前記天面パネル1bは、前記除塵装置７を接触させて外側に押し開かせたり、また、自重によってもとに位置に復帰させたりするのではなく、図２および図３に破線で示すように、駆動モータ12を連係することによって開閉されるように構成しても差し障りはない。
【実施例１】
【００１７】
ここで、前記天面パネル1bが前記除塵装置７に接触することにより外側に押し開かれるようにした構成および動作について、実施例１として示す図１乃至図４に基づいて以下に説明する。
【００１８】
前記除塵装置７は、第一の状態として図２（Ａ）に示すように、前記エアフィルタ４から前記除塵装置７のケース外面までの寸法Ａのように構成されており、前記エアフィルタ４の前面下部に対向する前記エアフィルタ４から前記前面パネル1aまでの寸法Ｂの範囲に、「寸法Ａ＜寸法Ｂ」の関係によって収容されるようになっている。
【００１９】
前記天面パネル1bは、枢支部９により回動することができるように設けられている。
また、前記天面パネル1bは、同天面パネル1bと前記エアフィルタ４との間のスペースとなる寸法Ｃと、前記寸法Ａとが「寸法Ｃ＜寸法Ａ」の関係に構成されるように空気調和機の上部に装着されている。
【００２０】
これによって、前記除塵装置７を前記天面パネル1bに接触することなく往復運動させる場合と比べて、前記スペースＣの狭小化をはかることができるようになり、空気調和機の小型化に寄与できるようになる。
【００２１】
なお、前記除塵装置７は、前記駆動モータ7aにより駆動されて前記天面パネル1bを回動させながら外側に押し開く際、同天面パネル1bの自重に抗して押し開くだけの駆動力が必要になることから、この駆動力を援助するため、同天面パネル1bを付勢ばね11によって上方に付勢するようにしてもよい。
【００２２】
すなわち、前記枢支部９は、図１および図２（Ｂ）に示すように、前記除塵装置７が接触しないように、前記天面パネル1bの前端両側に連続形成された支軸用フランジ9aに支軸9bが突設されてなる構成にし、同支軸9bの近傍に突設されたばね掛けピン9cに支持された付勢ばね11によって、図２（Ａ）に示す破線の矢印ａのように前記天面パネル1bが付勢されるようにしてもよい。
【００２３】
前記除塵装置７は、前記駆動モータ7aにより駆動されて、第一の状態として図２（Ａ）に示す位置から、第二の状態として図３に示す位置まで稼働させることにより、同除塵装置７の一部が前記天面パネル1bに接触して、同天面パネル1bを、図３に示す移動量h1のように、その自重に抗して外側に向けて押し開くことになる。
【００２４】
次に、前記除塵装置７は、前記駆動モータ7aにより駆動されて、上述した第二の状態から第三の状態として図４に示す位置まで稼働させることにより、同除塵装置７によって、前記天面パネル1bを図４に示す移動量h2のように外側に向けて押し開いた状態となる。
【００２５】
その際、「移動量h2＜移動量h1」となって、前記天面パネル1bは、前記枢支部９によって回動するというコスト的に有利な簡単な構造により、第二の状態として図３に示す位置まで押し開かれたのち、第三の状態として図４に示す位置まで自重によって戻ることになる。
【００２６】
以上のように、前記除塵装置７を上述した第一の状態から上述した第三の状態まで稼働させ、また同様に、前記除塵装置７を上述した第三の状態から上述した第一の状態まで復帰させることによる往復運動によって、前記エアフィルタ４の全面を綺麗に徐塵できるようになる。
【００２７】
そして、前記除塵装置７を上述した第三の状態から上述した第一の状態まで復帰させた際、前記天面パネル1bは、その自重により図２（Ａ）に示す通常の位置に復帰することになって、空気調和機としての上下寸法を抑えて小型化に寄与できるようになる。
【実施例２】
【００２８】
次に、前記天面パネル1bが前記除塵装置７に接触することにより外側に押し開かれるようにしたその他の構成および動作について、実施例２として示す図１と図５乃至図８とに基づいて以下に説明する。
【００２９】
前記除塵装置７は、第一の状態として図５（Ａ）に示すように、前記エアフィルタ４から前記除塵装置７のケース外面までの寸法Ａのように構成されており、前記エアフィルタ４の前面下部に対向する前記エアフィルタ４から前記前面パネル1aまでの寸法Ｂの範囲に、「寸法Ａ＜寸法Ｂ」の関係によって収容されるようになっている。
【００３０】
前記天面パネル1bは、同天面パネル1bの両側に前記除塵装置７が接触しないように設けられたリンク機構10により上下に平行移動することができるように設けられている。
また、前記天面パネル1bは、同天面パネル1bと前記エアフィルタ４との間のスペースとなる寸法Ｃと、前記寸法Ａとが「寸法Ｃ＜寸法Ａ」の関係に構成されるように空気調和機の上部に装着されている。
【００３１】
これによって、前記除塵装置７を前記天面パネル1bに接触することなく往復運動させる場合と比べて、前記スペースＣの狭小化をはかることができるようになり、空気調和機の小型化に寄与できるようになる。
【００３２】
なお、前記除塵装置７は、前記駆動モータ7aにより駆動されて、前記天面パネル1bを平行移動させながら外側に押し開く際、同天面パネル1bの自重に抗して押し開くだけの駆動力が必要になることから、この駆動力を援助するため、同天面パネル1bを付勢ばね11によって上方に付勢するようにしてもよい。
【００３３】
すなわち、前記リンク機構10は、図５（Ｂ）に示すように、前記天面パネル1bの両側に設けられ両端に第一連係ピン10c および第一スライドピン10e を備えた第一リンク10a と、両端に第二連係ピン10f および第二スライドピン10d を備えた第二リンク10b と、前記第一リンク10a と前記第二リンク10b とを互いに枢支する枢支部10h と、前記第一スライドピン10e を前後にスライド自在に支持するスライド溝10g とからなる構成にし、前記第一スライドピン10e および前記第二連係ピン10f の間に張設された付勢ばね11によって、前記第一スライドピン10e および前記第二スライドピン10d を図５（Ｂ）に示す破線の矢印ｂのように付勢させることにより、前記天面パネル1bが上方に付勢されるようにしてもよい。
【００３４】
前記除塵装置７は、前記駆動モータ7aにより駆動されて、第一の状態として図５（Ａ）に示す位置から、第二の状態として図６に示す位置まで稼働させることにより、同除塵装置７の一部が前記天面パネル1bに接触して、同天面パネル1bを、図６に示す移動量h3のように、その自重に抗して外側に向けて押し開くことになる。
【００３５】
次に、前記除塵装置７は、前記駆動モータ7aにより駆動されて、上述した第二の状態から第三の状態として図７に示す位置まで稼働させることにより、同除塵装置７によって、前記天面パネル1bを図７に示す移動量h4のように、外側に向けて更に押し開いた状態となる。
【００３６】
その際、「移動量h3＜移動量h4」となって、前記天面パネル1bは、実施例１で説明した前記枢支部９よりは構成が複雑な前記リンク機構10によって平行移動するという構造になるが、第二の状態として図６に示す位置まで押し開かれたのち、第三の状態として図７に示す位置まで順次外側に向けて押し開かれるようになって見栄えがよい。
【００３７】
以上のように、前記除塵装置７を上述した第一の状態から上述した第三の状態まで稼働させ、また同様に、前記除塵装置７を上述した第三の状態から上述した第一の状態まで復帰させるようにしてなる往復運動によって、前記エアフィルタ４の全面を綺麗に徐塵できるようになる。
【００３８】
そして、前記除塵装置７を上述した第三の状態から上述した第一の状態まで復帰させた際、前記天面パネル1bは、その自重により図５（Ａ）に示す通常の位置に復帰することになって、空気調和機としての上下寸法を抑えて小型化に寄与できるようになる。
【００３９】
なお、前記リンク機構10は、図５乃至図７に示すように、前記天面パネル1bの前後方向の中央部に設けるように構成されており、これによって、同天面パネル1bを平行移動可能に、且つ安定的に支持できるようになる。
【００４０】
また、図８（Ａ）に示す前記天面パネル1bの裏面には、図８（Ｂ）に示すように、前記第一連係ピン10c に対応する第一連係部1cと、前記第二スライドピン10d に対応する第二連係部1dとが夫々設けられており、前記第一連係ピン10c が前記第一連係部1cに回動可能に連係し、且つ前記第二スライドピン10d が前記第二連係部1dにスライド可能に連係して、前記天面パネル1bが上下に平行移動するようになっている。
【図面の簡単な説明】
【００４１】
【図１】本発明による空気調和機の実施例１を示す斜視図である。
【図２】本発明による空気調和機の実施例１を示す説明図で、（Ａ）は第一の断面図であり、（Ｂ）は要部拡大図である。
【図３】本発明による空気調和機の実施例１を示す第二の断面図である。
【図４】本発明による空気調和機の実施例１を示す第三の断面図である。
【図５】本発明による空気調和機の実施例２を示す説明図で、（Ａ）は第一の断面図であり、（Ｂ）は要部拡大図である。
【図６】本発明による空気調和機の実施例２を示す第二の断面図である。
【図７】本発明による空気調和機の実施例２を示す第三の断面図である。
【図８】本発明による空気調和機の実施例２を示す要部説明図で、（Ａ）は分解斜視図であり、（Ｂ）は天面パネルの第一連係部および第二連係部を示す裏面側の斜視図である。
【符号の説明】
【００４２】
１  パネル
1a  前面パネル
1b  天面パネル
1c  第一連係部
1d  第二連係部
２  吸込口
３  吹出口
４  エアフィルタ
５  熱交換器
６  送風ファン
７  除塵装置
7a  駆動モータ
８  ガイド
９  枢支部
9a  支軸用フランジ
9b  支軸
10  リンク機構
10a 第一リンク
10b 第二リンク
10c 第一連係ピン
10d 第二スライドピン
10e 第一スライドピン
10f 第二連係ピン
10g スライド溝
10h 枢支部
11  付勢ばね
12  駆動モータ
【図１】
2007078234.tif 000003
【図２】
2007078234.tif 000004
【図３】
2007078234.tif 000005
【図４】
2007078234.tif 000006
【図５】
2007078234.tif 000007
【図６】
2007078234.tif 000008
【図７】
2007078234.tif 000009
【図８】
2007078234.tif 000010